(57)【要約】【課題】基本画面に表示される状態インジケータの可読性を向上させるために、移動端末で基本画面設定方法を提供する。【解決手段】本発明は、移動通信端末の基本画面設定方法であって、予め貯蔵された複数の状態インジケータの各々に対応する複数の表示イメージのうち、任意の状態インジケータの表示イメージを選択する第１の段階と、前記基本画面の背景要素として予め貯蔵された複数のイメージのうち、表示イメージを選択する第２の段階と、前記基本画面で前記選択されたイメージの表示位置を設定する第３の段階とを有することを特徴とする。【選択図】図２
2007037124.tif 000002
【特許請求の範囲】
【請求項１】
移動通信端末の基本画面設定方法であって、
予め貯蔵された複数の状態インジケータの各々に対応する複数の表示イメージのうち、任意の状態インジケータの表示イメージを選択する第１の段階と、
前記基本画面の背景要素として予め貯蔵された複数のイメージのうち、表示イメージを選択する第２の段階と、
前記基本画面で前記選択されたイメージの表示位置を設定する第３の段階と、
を有することを特徴とする方法。
【請求項２】
前記表示イメージ設定情報により前記基本画面を表示する第４の段階をさらに有することを特徴とする請求項１記載の方法。
【請求項３】
前記複数の状態インジケータは、信号強度インジケータ、着信警告方式インジケータ、アラームインジケータ、文字メッセージ受信インジケータ、不在着信インジケータ、現在機能インジケータ、現在日付/時間インジケータ、及びバッテリー状態インジケータを含むことを特徴とする請求項１記載の方法。
【請求項４】
前記文字メッセージ受信インジケータに対応する表示イメージが脱着可能なメモ用紙イメージを含むことを特徴とする請求項３記載の方法。
【請求項５】
前記文字メッセージ受信インジケータの表示イメージとして脱着可能なメモ用紙イメージが設定された状態で新たな文字メッセージが受信されると、受信された文字メッセージの内容を表示した脱着可能なメモ用紙を予め設定した位置に表示する段階をさらに有することを特徴とする請求項４記載の方法。
【請求項６】
前記背景要素は、壁紙、家具、装飾品、キャラクター、額縁を含むことを特徴とする請求項１記載の方法。
【請求項７】
前記複数の背景要素の中にユーザーによって額縁イメージが選択されると、額縁イメージは、前記基本画面にユーザーによって選択された写真イメージを含めて表示することを特徴とする請求項６記載の方法。
【請求項８】
前記第１の段階は、
移動端末に予め貯蔵された状態インジケータのリストを表示する段階と、
ユーザーによって選択された任意の状態インジケータと関連して貯蔵された複数のインジケータイメージを表示する段階と、
前記複数のインジケータイメージのうち、ユーザーによって選択されたインジケータイメージを状態インジケータの表示イメージに設定する段階と、
を有することを特徴とする請求項１記載の方法。
【請求項９】
前記第２の段階は、
予め貯蔵された複数の前記基本画面の背景を構成する複数の背景要素のリストを表示する段階と、
ユーザーによって選択された背景要素と関連して貯蔵された複数のイメージを提供する段階と、
前記複数のイメージのうち、ユーザーによって選択されたイメージを前記選択された背景要素の表示イメージに設定する段階と、
を有することを特徴とする請求項１記載の方法。
【請求項１０】
前記第３の段階は、
前記選択された表示イメージが、前記基本画面での表示位置がユーザーによって指定されないと、予め設定されたデフォルト値により表示される段階を有することを特徴とする請求項１記載の方法。
【請求項１１】
発生されたイベントに対応して任意の状態インジケータの表示イメージが変化するか否かを判定し、前記イベント遂行結果により前記状態インジケータの表示イメージを変化させる段階をさらに有することを特徴とする請求項２記載の方法。
【発明の詳細な説明】
【技術分野】
【０００１】
本発明は移動通信端末に関して、特に、移動通信端末の基本画面を設定する方法に関するものである。
【背景技術】
【０００２】
移動通信端末の“基本画面(ｂａｓｉｃ  ｄｉｓｐｌａｙ  ｓｃｒｅｅｎ)”は、移動端末の待機状態でユーザーに提供される画面を意味する。この基本画面は、一般的に、複数の状態インジケータと背景となるイメージを含む。状態インジケータは、現在移動通信端末の設定された機能モード又は基本的な状態に関連した状態情報と発生したイベント関連情報を表示する。状態インジケータは、一般的に、現在信号強度、着信警告方式、アラーム設定、文字メッセージ受信、現在設定されている移動通信端末の機能、現在日付と時間、バッテリー状態などを含む。そして、状態インジケータを通じて表示されるイベントは、移動通信端末の動作と関連して発生するイベントとして、アラームの発生、電話呼の着信、文字メッセージの受信などになることができる。
【０００３】
図４は、移動端末の従来の基本画面を示す。図４を参照すると、多様な状態インジケータは画面の最上部に表示される。信号強度を示すインジケータはアンテナイメージであり、着信警告方式を示すインジケータは移動通信端末の振動イメージである。アラーム設定を示すインジケータは鐘のイメージを使用し、文字メッセージ受信を示すインジケータは手紙封筒のようなイメージが使用される。
【０００４】
このような状態インジケータは、図４に示すように、基本画面の上部に非常に小さく表示されるため、情報の可読性が落ちる。特に、ユーザーの年が高く、視力が悪い場合には一層可読性が低下する。また、状態インジケータは、それぞれの状態情報に対応して定められた一つのイメージとして表示されるため、ユーザーにとっては退屈さを感じるようになる。
【０００５】
これは、基本画面の背景の場合も同様である。基本画面の背景は、一般的に移動通信端末に備えられたカメラで撮影したイメージや外部からダウンロードしたイメージ、簡単なフラッシュイメージのみに設定可能である。ユーザーの趣向により創造的なイメージが設定されることはできない。そのため、ユーザーは基本画面の背景に食傷してしまうという問題があった。
【発明の開示】
【発明が解決しようとする課題】
【０００６】
したがって、上記のような従来技術を問題点を解決するために、本発明の目的は、基本画面に表示される状態インジケータの可読性を向上させるために、移動端末で基本画面の設定方法を提供することにある。
【０００７】
また、本発明の目的は、移動端末で多様な背景を有する基本画面を設定することができる方法を提供することにある。
【０００８】
また、本発明の目的は、状態情報により固定されたイメージの状態インジケータ以外にも多様なイメージで状態インジケータが表現可能な基本画面の設定方法を提供することにある。
【課題を解決するための手段】
【０００９】
上記のようなも目的を達成するために、本発明は、移動通信端末の基本画面設定方法であって、予め貯蔵された複数の状態インジケータの各々に対応する複数の表示イメージのうち、任意の状態インジケータの表示イメージを選択する第１の段階と、前記基本画面の背景要素として予め貯蔵された複数のイメージのうち、表示イメージを選択する第２の段階と、前記基本画面で前記選択されたイメージの表示位置を設定する第３の段階とを有することを特徴とする。
【発明の効果】
【００１０】
本発明は、複数の状態インジケータに各々対応する複数のインジケータイメージと基本画面の背景を構成する各背景要素に関連した複数のイメージを貯蔵し、ユーザーの選択により各状態インジケータの表示イメージと、各背景要素のイメージを設定して基本画面を構成する。それによって、ユーザーの情報の可読性を増加させることができ、ユーザーに楽しみを与えることができる。
【発明を実施するための最良の形態】
【００１１】
以下、本発明の望ましい実施形態を添付の図面を参照して詳細に説明する。
【００１２】
下記に、本発明に関連した公知の構成及び機能に関する具体的な説明が本発明の要旨を不明にすると判断された場合に、その詳細な説明を省略する。
【００１３】
図１は、本発明の実施形態による移動通信端末を示すブロック構成図である。図１を参照すると、移動通信端末は、制御部１１と、メモリ部１３と、表示装置１５と、キー入力部１７と、ベースバンド処理部１９と、ＲＦ(Ｒａｄｉｏ    Ｆｒｅｑｕｅｎｃｙ)モジュール２１と、音声処理部２３とを含む。
【００１４】
制御部１１は、移動通信端末の全般的な動作を制御する。
【００１５】
表示装置１５は、各種画像情報と基地局から受信又はメモリ部１３に貯蔵されている画像を制御部１１の制御によって画面上に表示する。
【００１６】
キー入力部１７は、０〜９の数字キー、*キー、#キー、そして移動通信端末を備える多様な機能に対応するように複数の機能キー(メニュー、選択、通話、取り消しオン/オフ、ボリュームなど)を提供する。キー入力部１７は、ユーザーが押さえるキーに対応するキー入力データを制御部１１に伝送する。０〜９の数字キーは、複数の英文字が割り当てられる。
【００１７】
ＲＦモジュール２１は、アンテナを通じて移動通信基地局と無線信号を送受信する。ＲＦモジュール２１は、ベースバンド処理部１９を通じて制御部１１から入力される信号を変調し、このＲＦ信号をアンテナを通じて送信する。また、ＲＦモジュール２１は、アンテナを通じて受信されるＲＦ信号を復調してベースバンド処理部１９を通じて制御部１１に提供する。ベースバンド処理部１９は、ＲＦモジュール２１と制御部１１との間に送受信されるベースバンド信号を処理する。
【００１８】
制御部１１と接続された音声処理部２３と、音声処理部２３に接続されたマイク(ＭＩＣ)及びスピーカー(ＳＰＫ）は、電話通話及び音声録音に使用される。
【００１９】
メモリ部１３は、制御部１１の処理及び制御のためのプログラム、参照データ、更新可能なデータ、及び多様なマルチメディアデータなどを貯蔵し、これらは制御部１１のワーキングメモリ(ｗｏｒｋｉｎｇ  ｍｅｍｏｒｙ）として提供される。そして、メモリ部１３は、本発明の実施形態により、状態インジケータイメージ貯蔵部２５と背景イメージ貯蔵部２７を含む。
【００２０】
状態インジケータイメージ貯蔵部２５は、状態インジケータに関連した多様なイメージを貯蔵する。状態インジケータは、現在移動通信端末の基本的な状態又は設定された機能モードに関連した状態情報を示す。状態インジケータは、移動通信端末の動作と関連して発生したイベント又は前記状態情報と関連して発生したイベント結果を反映して示す。この状態情報は、一般的に現在信号強度、着信警告方式、アラーム設定、文字メッセージ受信、現在設定されている移動通信端末の機能、現在日付と時間、バッテリー状態などを含む。そして、状態インジケータにその結果が反映されて表示されるイベントは、移動通信端末の動作と関連して発生し、現在状態が反映されるイベントとして、アラーム発生、電話呼着信、文字メッセージ受信、バッテリーの放電、信号強度の変化などとなる。本発明により、上記したそれぞれの状態情報又はそれぞれのイベントに関連した複数のインジケータイメージが状態インジケータイメージ貯蔵部２５に貯蔵可能である。本発明により、追加的に状態インジケータイメージ貯蔵部２５に貯蔵されるインジケータイメージは、関連した状態情報又はイベントの可読性が強調されたイメージとして、多様な種類からなる。例えば、現在受信強度を示すインジケータイメージとしては、従来のアンテナイメージ以外にも花イメージが追加可能である。また、バッテリーの充電状態を示すインジケータイメージとしては水差しや漁港イメージが追加可能である。また、現在時刻を示すインジケータイメージとしては、多様なデザインの壁時計が追加可能である。文字メッセージの受信又は不在中着信を示すインジケータイメージとしては脱着可能なメモ用紙イメージ、ネオン看板イメージが追加可能である。
【００２１】
このようなインジケータイメージは、対応する状態情報に関連したイベントの発生時に、その結果を反映して表示されなければならないため、一つのインジケータイメージに関連した色々なバージョンの少しずつ変形されたイメージが共に貯蔵される。例えば、バッテリーの充電状態を示すインジケータイメージとして、３つのバージョンの水差しイメージ(水が一杯状態の水差しイメージ、水が半分状態の水差しイメージ、空いている水差しイメージ)などが貯蔵される。
【００２２】
一方、画面背景イメージ貯蔵部２７は、基本画面の背景を表現し、満たすことができる多様な背景要素に関連した多様なイメージを貯蔵する。背景要素の種類では、例えば、壁紙、家具、人形のような装飾品、キャラクター、額縁などとなりうる。すなわち、画面背景イメージ貯蔵部２７は、上記のような背景要素に関連した多様なデザインの壁紙イメージ、家具イメージ、装飾品イメージ、キャラクターイメージ、額縁イメージを貯蔵する。
【００２３】
図２は、本発明の一実施形態による基本画面の設定手順を示すフローチャートである。図２を参照すると、制御部１１は、ステップ１０１で、ユーザーから基本画面設定要求を感知する。制御部１１は、ステップ１０３で、ユーザーの要求が状態インジケータの設定要求であるか否かをを判定する。その結果、ユーザの要求が状態インジケータの設定要求であると、制御部１１は、ステップ１０７に進行し、状態インジケータの設定要求でないと、ステップ１２１に進行する。ステップ１０７で、制御部１１は、複数の状態インジケータリストを提供し、ステップ１０９に進行する。状態インジケータリストは、それぞれの状態情報に対応して構成されるもので、例えば、信号強度インジケータ、着信警告方式インジケータ、アラーム設定インジケータ、文字メッセージ受信インジケータ、不在着信インジケータ、現在設定されている移動通信端末の機能インジケータ、現在日付と時間インジケータ、バッテリー状態インジケータからなる。
【００２４】
ステップ１０９で、制御部１１は、ユーザーから任意の状態インジケータが選択されると、ステップ１１１に進行する。ステップ１１１で、制御部１１は、選択された状態アラームインジケータと関連して状態インジケータイメージ貯蔵部２５に貯蔵された複数のインジケータイメージを提供する。例えば、状態インジケータリストの中に文字メッセージ受信インジケータが選択されると、これに関連して予め貯蔵されたインジケータイメージである手紙封筒イメージと、ネオン看板イメージと、脱着可能なメモ用紙イメージを提供する。ステップ１１３で、制御部１１は、ユーザーによって任意のインジケータイメージが選択されると、ステップ１１５に進行する。ステップ１１５で、制御部１１は、選択されたイメージを任意の状態インジケータの表示イメージとして設定する。すなわち、表示された手紙封筒イメージと、ネオン看板イメージと、脱着可能なメモ用紙イメージのうち、ユーザーが脱着可能なメモ用紙イメージを選択すると、制御部１１は、脱着メモ用紙イメージを文字メッセージ受信インジケータの表示イメージとして設定する。
【００２５】
ステップ１１７で、制御部１１は、ユーザーから選択されたイメージの表示位置を指定する入力があるか否かを判定する。その結果、表示位置を指定する入力があるとステップ１１９に進行し、表示位置を指定する入力がないと、ステップ１３３に進行する。ステップ１１９で、制御部１１は、ユーザー入力により選択されたインジケータイメージの表示位置を設定し、動作手順を終了する。一方、ステップ１３３で、制御部１１は、ユーザーによって別途の表示位置の指定を受けないため、選択されたインジケータイメージを表示位置をデフォルト値に設定し、動作手順を終了する。
【００２６】
上記したステップでは、本発明により基本画面の状態インジケータの表示イメージを設定する手順について説明した。次に、図２のステップ１２１〜１３３を参照して基本画面の背景を設定する手順について説明する。ステップ１２１で、制御部１１は、ユーザーから基本画面背景設定要求を受信すると、ステップ１２３に進行する。ステップ１２３で、制御部１１は、設定可能な背景要素リストを提供する。この設定可能な背景要素リストは、ユーザー選択により変化可能な背景要素のリストとして、例えば、壁紙、家具、人形のような装飾品、キャラクター、額縁などが挙げられる。ステップ１２５で、制御部１１は、ユーザーから任意の背景画面要素選択入力があるか否かを判定する。その結果、任意の背景画面要素選択入力があると、ステップ１２７に進行する。ステップ１２７で、制御部１１は、選択された状態背景画面要素と関連して画面背景イメージ貯蔵部２７に貯蔵された複数のイメージを提供する。例えば、ユーザーが上記のような背景画面要素リストから額縁を選択した場合に、制御部１１は予め貯蔵された多様な額縁イメージを提供する。ステップ１２９で、制御部１１は、ユーザーから任意のイメージを選択する入力があると、ステップ１３１に進行する。ステップ１３１で、制御部１１は、選択されたイメージを任意の背景画面要素の表示イメージに設定する。制御部１１は、ステップ１１７〜ステップ１３３を遂行して選択されたイメージが表示される位置を設定し、動作手順を終了する。
【００２７】
図３は、本発明の実施形態により基本画面の提供手順を示すフローチャートである。図３を参照すると、制御部１１は、ステップ２０１で、移動通信端末の電源がオン状態であるか否かを判定する。その結果、オン状態であると、制御部１１は、ステップ２０３で、図２の過程によって予め定められた基本画面表示情報によって状態インジケータ及び画面背景を表示する。その後、ステップ２０５で、制御部１１は、任意のイベントが発生するか否かを感知する。その結果、イベントが発生すると、制御部１１は、ステップ２０７で、発生したイベントに対応して状態インジケータの表示変化が必要であるか否かを判定する。その結果、表示変化が必要であると、ステップ２０９に進行し、表示変化が必要でないと、発生したイベントに対応する動作を遂行する。ステップ２０９で、制御部１１は、発生したイベントを遂行し、該当状態インジケータに対応して設定された表示イメージを発生したイベントの状態に対応して提供し、さらにステップ２０５に進行する。
【００２８】
例えば、ステップ２０５で発生したイベントが文字メッセージ受信であると、制御部１１は、文字メッセージ受信インジケータに対応して設定された表示イメージを変化させなければならないと判断する。もし、文字メッセージ受信インジケータが脱着可能なメモ用紙に設定されていると、制御部１１は、ステップ２０９で、基本画面の予め定められた位置に文字メッセージの内容が表示された脱着可能なメモ用紙を表示する。他の例として、ステップ２０５で、発生したイベントが信号強度が正常状態で弱化された場合に、制御部１１は、信号強度インジケータに対応して設定された表示イメージを変化させなければならないと判断する。もし、信号強度インジケータが花に設定されていると、制御部１１は、ステップ２０９で、以前に表示されている生き生きした花のイメージを枯れた花のイメージに変換して表示する。
【００２９】
上記のような手順により設定された基本画面の表示状態の例を図５Ａ〜図５Ｃに示す。図５Ａは、本発明の実施形態による第１の基本画面を示す。図５Ａを参照すると、第１の基本画面は、現在時刻インジケータの表示イメージとして設定されたデジタル時計３０５と、他の地域の時刻インジケータの表示イメージとして設定されたアナログ時計３０３とを含む。また、第１の基本画面は、背景要素として壁紙３０７と、人形の装飾品３０１、本棚３０９のイメージを含む。図５Ｂは、 本発明の実施形態による第２の基本画面を示す。図５Ｂを参照すると、第２の基本画面は、現在時刻インジケータの表示イメージとして設定されたデジタル時計３１１と、基本画面背景要素として設定された第１の基本画面の壁紙３０７とは異なる種類の壁紙３１３、テーブル３１５、及び額縁３１７とを含む。第２の基本画面のように背景要素の中に、額縁３１７が選択されると、本発明の他の実施形態により、額縁内の写真もユーザーが希望する写真に設定可能である。図５Ｃは、本発明の実施形態による第３の基本画面を示す。図５Ｃを参照すると、第３の基本画面は、現在時刻インジケータの表示イメージとして設定されたデジタル時計３１９と、文字メッセージ受信又は不在着信インジケータの表示イメージとして設定された脱着可能なメモ用紙３２１とを含む。第３の基本画面は、背景要素として設定された第２の基本画面の壁紙３１３とは異なる種類の壁紙３２３と、テーブル３２５を含む。
【００３０】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００３１】
【図１】本発明の実施形態による移動通信端末のブロック構成図である。
【図２】本発明の実施形態による移動端末の基本画面の設定手順を示すフローチャートである。
【図３】本発明の実施形態により基本画面の表示手順を示すフローチャートである。
【図４】従来技術による典型的な基本画面を示す図である。
【図５Ａ】本発明の実施形態による第１の基本画面を示す図である。
【図５Ｂ】本発明の実施形態による第２の基本画面を示す図である。
【図５Ｃ】本発明の実施形態による第３の基本画面を示す図である。
【符号の説明】
【００３２】
１１  制御部
１３  メモリ部
１５  表示装置
１７  キー入力部
１９  ベースバンド処理部
２１  ＲＦモジュール
２３  音声処理部
【図１】
2007037124.tif 000003
【図２】
2007037124.tif 000004
【図３】
2007037124.tif 000005
【図４】
2007037124.tif 000006
【図５Ａ】
2007037124.tif 000007
【図５Ｂ】
2007037124.tif 000008
【図５Ｃ】
2007037124.tif 000009